(57)【要約】      （修正有）【課題】電磁気力の電気のプラス電気とマイナス電気の対称性を自発的に破ることを課題としている。磁気の対称性を自発的に破る装置の具現を課題としている。気である方向、入力と出力の方向の対称性を自発的に破ることを課題としている。力の推力と抗力を自発的に破る装置の具現を課題としている。【解決手段】具体的には整数論による、宇宙の「爆破と邂逅の原理」其れを証明する、曲率と直線の統一：幾何学⇔古代ギリシャ時代より出され、コンパスと定規で解く、解答が不可能とされた３大不能問題、角度の３等分、円の面積を四角に直す、体積を半分にする問題の解答により、狭いエネルギー保存則を超え広いエネルギー保存則に従う、重力エネルギーにより核力エネルギーまで引き出せる、永久モータの開発がなされました。本発明は磁力のＮ分割による、Ｎ倍の力を得る装置にかかる。【選択図】図３
2017208994.tif 000002
【特許請求の範囲】
【請求項１】
第一段階。
一体が、絶縁皮膜された励磁磁鉄板の合板に良伝導体コイルが巻かれ、絶縁皮膜された良電導体コイルの双磁極電機子と、他体が、励磁用鉄の一端と他端に隙間を隔ててＮ・Ｓ双磁極が相対移動する双磁極電機子で構成される二体電動モータに於いて、駆動モータ界磁電機子に入力する上記コイルに重ねて、自己誘導動発電し常時回生する回帰発電用コイルが二重に巻かれ回磁界・回生両電機子を構成する、常時同時駆動発電する電動モータ。電磁気力対象性の方向である［気］の入力と出力の方向を自発的に破る、狭義のエネルギー保存則を超える自己誘導発電の電気エネルギーを、駆動モータに回帰させる方法である駆動発電電気回路。駆動発電電力に対して、逆流する、自己誘導発電電流を短絡ショートさせないで駆動電力に印可させる装置である励磁用鉄共用駆動発電二重コイル・トランスモータ。
第二段階。
請求項２のモータの双磁極電機子のコイルを、コイル中間を切断し新たな入出力端子を増設具備する、単磁極電機子対に於いて、電磁気力対称性の［電］のプラスとマイナスの対称性の自発的破れにおいて、電子のプラスとマイナスの、電流と正孔の流れ、同じ流れの逆起電力である発電電力の流れにより狭義のエネルギー保存則の対称性を破り超える広義のエネルギー保存則を得る方法である単磁極電機子対駆動発電電気回路。
単磁極電機子対で構成する単磁電機子対駆動発電電動モータに於いて電磁気力対称性の［電］を自発的に破る、駆動電流のプラスとマイナスと正孔の流れ、電子の流れに対する逆流である、発電と同じ流れを短絡ショートさせない、広義のエネルギー保存則に従う、単磁電機子対駆動発電電動モータの装置である、
モノポールトランスモータ。
第三段階。
単磁電機子対駆動発電電動モータに於いて、
同相電機子の少なくとも一つの電機子柱の駆動コイル入力電流により、発電コイルに、誘導発電された電気を他の同相電機子柱に、駆動用電気として出力する、電磁気力対称性の［磁］の対称性を破り、狭義のエネルギー保存則を超え、広義のエネルギー保存則に従う、単磁電機子対多段駆動発電電動機の方法である多段駆動発電回路
【請求項２】
請求項１の単磁電機子対駆動発電電動モータが同相に於いて入力駆動電流コイルにより誘導発電した電気が同相他柱の駆動電流コイルに入力する多段である。単磁電機子対多段駆動発電電動機である、モノポール多段トランスモータ。
【発明の詳細な説明】
【発明の詳細な説明】
【技術分野】  永久電動機【０００１】
【背景技術】
【０００２】第一段階において、従来からの電動モータは、一体を絶縁皮膜された励磁用鉄板の合板の柱に絶縁皮膜された良電導体線を巻きつけ電機子とし、電機子の一端と他端に隙間を隔てて他体の磁石Ｎ・Ｓ双磁極を相対移動させ、電磁気力相互作用をさせる、固定子と回転子の二体構造である。電動モータは駆動電源を入力し駆動回転をすると、発電機として一体と他体が相対移動し内部で自己誘導起電がおき発電をする。発電電磁気力と駆動電磁気力は背中合わせの対称性の閉じた関係にある、電磁気力である±電力：Ｎ・Ｓ磁力：±引力：反力の重力：入力・出力の四つの対称性があり、互いに相殺しエネルギー保存の関係にある。【０００３】このために狭義のエネルギー保存則を超えない。またこれらの力＝重力・弱い力・電力・核力は互いに相互作用して重力場を超えることはしない。これら四つの力の場においては、エネルギーは熱量⇔質量×速度×速度の四次関数として繰り込み可能で、且つ相互作用はしない閉じた場であるゲージ理論に支配されている。【０００４】これに対し、ノーベル賞受賞物理学者Ｓ・ＷｅｉｎｂｅｒｇとＡ・Ｓａｌａｍは電磁気力相互作用において、対称性の自発的破れにより、保存則が崩れることを統一理論として提唱し・実験証明した。世界の物理学者が追試し認められた。
陽電子の加速器による光速度近くに加速された衝突は、核融合を起こすことなく、入力された、核力に近いエネルギーは自発的対称性の敗れにより、消滅し、狭義のエネルギー保存則は破れた。この法則をプラス方向に具現する実用機はいまだ無い。本発明は、この狭義のエネルギー保存則を超える、対称性の自発的な破れによる法則のプラス方向の重力の入力に対し、核力に至るエネルギーを得る実用機を電動モータで具現するものである。【０００５】対称性は、ソレノイドコイル内で発電電流と駆動電流と、磁束の流れによる磁極Ｎ・Ｓと、力の引力と訴力と、電力の方向が行く方向のプラスと来る方向のマイナスの対称性であり、互いに相殺し合う、閉じた関係にある。【０００６】これら四つの場の関係は、±ＸＹＺ，プラス・マイナス三次元の八立方象限の次元の出発点である０点、極において一体となっている。【０００７】四つの場を表す素粒子との力の関係は、重力場＝中性子＝引力⇔訴力。弱い力の場＝陽電子＝Ｎ磁極⇔Ｓ磁極。電磁気力＝電子＝プラス電極⇔マイナス電極。
核力＝光子の進行方向＝明⇔宇宙の爆発原点である暗に対応する。【０００８】電磁気力の虚空に対し閉じた四つの力と場の間係。電力は電力場と呼ぶ。同じように重力は重力場と呼ぶ。弱い力は磁力場と呼ぶ。核力は原子力場と呼ぶ。【０００９】電磁気力はこれら四つの場が一体であることを示し、素粒子は分割不可能な四つの顔を持つ一個であることを示し、極を中心に、プラス・マイナス三次元のベクトルの中心である四つの回転軸を持ち、プラス・マイナスの軸方向を持ち、プラス・マイナス正・逆の回転方向を持ち、四つの力に比例した四つのプラス・マイナス回転数を持つことを現している。【００１０】それぞれのゲージ場内においてエネルギーが保存され、狭義のエネルギー保存則として閉じている。それぞれの場のエネルギーが、例えば核力が重力場内において熱量として繰り込みは可能であるように、四つの力は四つの場に繰り込み可能である。【００１１】重力から核力にいたるエネルギーを統一して陳べる法則の提唱はある。しかし二次関数の相対論で述べるため成功しない。
宇宙の爆発と邂逅の法則は±四次関数である。【００１２】電動モータの第一段階の電流において。駆動電源にプラス・マイナスの電流の入力により駆動すると、自己誘導発電のマイナス・プラスの発電電流により、モータ電機子の閉鎖回路内で短絡し、発電電流を消耗し、コイルがヒータとなり、発熱。銅損・熱損・力損が起こる。【００１３】第一段階の電動モータ電流において、駆動電力入力により回磁界が発生し、モータが駆動する。モータが９０度位相のずれたところでは、自己誘導発電により、発電し、モータ内部で短絡ショートし発熱する。発電電力と駆動電力は、互いに打ち消しあう対称性の関係にある。【００１４】第二段階のコイル閉鎖回路内の電力において、閉鎖回路の両端子にプラス・マイナスの電流が流れる。従来ではコイル両端より、外側に流れた電流が仕事をする。同時に駆動位置に９０度位相がずれた位置で自己誘導発電する。駆動励磁の回転方向力と発電励磁の抗力との関係は常に背中合わせであり互いに相殺する関係にある。電動モータ・ソレノイドコイル内で駆動磁束と発電磁束の流れはプラスとマイナスの対称性であり、相殺し合って、閉じている、【００１５】第三段階の従来の二体電動モータにおいて、二体電動モータの一体励磁用鉄内いでの発電磁束は他体の磁石を含む励磁用鉄内に交番磁束を流し、他体の駆動磁束との磁極がＮ・Ｓ相殺すると共に、閉鎖回路内で発生する渦電流が、短絡ショートし発熱する。
従来からの二体電動モータの電磁気力相互作用の方向である気は、駆動入力による電力と自己誘導発電により発生する電力とが常に背中合わせであり、互いに相殺する関係にある。【００１６】第四段階の発電駆動モータの従来に於いては、二体電動モータの駆動トルクと発電トルクは、二体間の励磁用鉄とコイルの四対間の関係で、互いにプラスとマイナスの対称性の関係にあり、プラス・マイナス：マイナス・プラスと四体間対称性であり、相殺しエネルギー保存則に従う。
電磁気力の対称性を自発的に破り、狭義のエネルギー保存則を超え、駆動・電磁気力の駆動力の出力と、駆動電力と同じエネルギーの発電・電磁気力の電力を同時に別々に取り出す、電磁気力の対称性を自発的に破る技術は本発明の出現までは無かった。
また、電磁気力の対称性を自発的に破り、トルクをＮ倍に増やす、技術もなかった。【００１７】ＤＣ／ＡＣブラシレスインバータ電源より、磁石の位相の制御電流により、トランジェスターが作動し電動モータに界磁電流を流すブラシレスモータにおいて、寄生ダイオードにより自己誘導発電を整流し回生電気として流す方法があるが、対称性の相殺により、回転数が上がらないため入力電源に対し発生電気の電圧が低く、回生できず、また逆起電力により、閉鎖回路内で短絡ショート発熱する。自己誘導発電による力損の改善も望めない。【００１９】発電において、発電機内電機子コイル一端と多端の中間は直列結線であり、スター回路かデルター回路の閉鎖回路である。電磁気力の±対象性により熱損・力損が激しい。整流子により整流すると、閉鎖回路内電磁気力は、起電力と逆起電力である正孔の流れ、発電と同じふるまいをする、逆流電子の対称性の相殺により、エネルギーの半分以上が短絡ショートし、熱損・力損となる。【００１８】従来のオルタネーターなどの発電の発生する交流を直流に変換するコンバータに
2017208994.tif 000003
いなく、概念も無い。このための熱損。力損は大きい。整流し中点でアースし、逆起電力を逃がす回路も、発熱は防げるが、逆起電力は有効利用できない。また誘導発電を駆動力に利用する誘導モータやデジタルモータがあるが、いずれも、逆起電力の利用はできず、逆起電力のすべてが熱損・力損となっている。【００１９】従来のオルタネーター発電機に使用される、バッテリー過充電防止スイッチ機構のレギュレタに於いて、常時トランジェスターに発電電流が流れ、発熱熱損が大きい。
コイル直巻き発電機である、オルタネーターは閉鎖回路により、熱損、力損が発生するが、発生した電力をバッテリーに逐電する際に、過充電になると、励磁用コイルの電源を遮断し過充電を防止する機構になっている。この遮断用スイッチ回路にトランジェスターが多用され、熱損が発生している。
自発的対象性の敗れこれを用いる実用機がいまだない。【００２０】従来の基本的電磁気力思想であるナツメ社発行の、図解始めて学ぶ、電気回路の７９ページ相互インダクタンスに書かれている相互誘導起電力により磁束が消える、これは駆動電力と発電電力がコイル中間で磁束を打ち消しあう、自発的対象性の破れを示すものである。概念としてのモノポールは可能である。【００２１】請求項３の従来のインバータとコンバータに於いて、半波整流、全波整流と言う思想はあるが±全波と言う電流があると言う思想は無い。±全波周波数同調と言う思想も無い。このためほとんどの逆起電・電磁気力を短絡ショート発熱として逃がしている。【００２２】従来の発電機は、始動回転時から、要求される電力及び、閉鎖回路による全トルク・最大トルクを要求される。これにより、ほとんどのエネルギーが熱損・力となっている。【００２３】
【発明が解決しようとする課題】
【００２４】本発明が統一して解決しようとする統一課題は、狭い考えで電動モータが電磁気力の相互作用を利用しながら、狭義のエネルギー保存則である重力場内のエネルギー保存則に縛られ、閉じている。
他方ワインバーグ・サラムの法則、「電磁気力の対称性の自発的破れはエネルギー保存則を超える」この装置と方法を、演繹法で解決するのが統一した課題である。
【００２５】本発明が解決しようとする電動モータの基本的な課題の第１は、電動モータを駆動させると、自己誘導発電し、同時に自己誘導磁束により抗力としての力損が発生する。これを無くすことを第１の課題としている。
【００２６】本発明が解決しようとする電動モータの基本的な課題の第２は、モータ内部で自己誘導発電した電力と、駆動電力が、短絡し発熱する。この熱損を無くすことを第２の課題としている。
【００２７】本発明が解決しょうとする課題の第３は、駆動時に発生する発電を常時回生させることを課題としている。
【００２８】本発明が解決しょうとする課題の第４は、常時回生発電電力を駆動電力として、供給する電気回路を課題としている。
【００３０】本発明が解決しようとする課題の第５は磁束をＮ倍化し、トルクをＮ倍化することを課題としている
【００３１】本発明が解決しようとする課題の第６は全回生電力を、制御回路を使わずに、駆動電力に変換することを課題としている。
【００３２】本発明が解決しようとする課題の第７は起電力、逆起電力双方の回生電力の全電力を常時バッテリーに回帰させる方法を課題としている。
【００３３】
【課題を解決する為の手段】
【００３４】本発明の第１の課題である自己誘導発電の抗力による力損を解決するための手段は、一体が自己誘導発電により、電機子励磁用鉄に発生する磁束に拠る磁極と、他体の磁石との間による発生する吸引、反発の抗力をなくすための手段として、電機子の磁束の流れを切断し、磁束を流れなくすることを手段としている。このための具体的な手段は、駆動モータのコイルと自己誘導発電のコイルと別々にする二重コイルとすることを解決手段としている。
【００３５】本発明の第２の課題電動モータ内部での銅損・熱損を解決するための手段は、Ｎ・Ｓ双磁極励磁用鉄に巻かれたソレノイドコイルの中間を切断し、端子を二倍に増し単磁極電機子対とすることを手段とする。これによるＮ・Ｓ両極に同時に起電する二つの磁極の電機の進行方向が違う電流、この電流が同じ磁極に向かうとき回転方向が違う正逆起電力による±電気を、コイル中間で短絡ショートするのを防ぎ、熱損を無くし、電流の対称性の自発的破れを具現する単磁電機子対とすることを第２の解決手段としている。
【００３６】本発明の第３の課題、駆動時に発生する電流の回転方向が逆回転するする発電電力を短絡ショートさせずに解決する、また全発電電流を有効利用するための手段は、駆動時に発生する自己誘導発電を駆動電流コイルに重ねて発電電流を二重に巻き、駆動電力により同時に発電する自己誘導発電を回収するトランスモータとすることを第３の課題の解決手段とする
【００３７】本発明の第４の課題である常時回生発電する電力を駆動電力として供給する電気回路の課題を解決する手段は、入力駆動電力により二重コイル内に起電する発電電気を次の同相の電機子柱の駆動コイルに供給する回路は、双磁極電機子の閉鎖回路で逆起電力短絡ショートさせる回路では、コンデンサーで閉鎖回路を構築し、一時電気をため、さらにトランスで昇圧し同時に整流し、バッテリーに並列結線で入力することができる。電磁気力対称性を自発的に破る、逆起電力もバッテリーに供給するには、直列に結線したバッテリーの±の端子の中間の結線に、上記コンデンサーとトランスを具備した逆起電力回路を、直列結線したバッテリー中間に割り込み直列結線で繋ぐことを第四の課題を解決する手段とする。
【００３８】本発明の第５の課題の電磁気力対称性の磁力を自発的に破り、磁束をＮ倍化とし、トルクをＮ倍化することを解決する手段は、電機子に駆動入力した電気により、発電する発電コイルが、同相の少なくとも一つの電機子の駆動電力コイルに入力し、さらに同じ電機子柱の二重コイルで発電した電気をさらにＮ段目電機子柱の駆動コイルに回生入力する同相多段トランスモータ回路を解決手段とする。
【００３９】本発明の第６の課題を解決する手段は上記第５の課題解決をする方法回路により制御回路を経ず、直接同軸同回転多段モータに供給することにより解決手段とする。
【００４０】本発明の第７の課題を解決する手段は、多段モータ最後の段の発電電力を、制御回路でバッテリーに供給そることを手段とする。
【００４１】
【発明を実施するための形態】
【００４２】本発明の開示である発明の第一の熱損を無くす実施の形態は、第一に、電動モータの駆動電力入力回路と、自己誘導発電する電気回路が同じであり、この電気回路内部で短絡発熱するのを無くすため、励磁用鉄柱にコイルを巻いた駆動電源回路と、同じ励磁用鉄柱に重ねてコイルを巻いた発電回路の電機子を具備する発電・駆動回路電動モータを第一の実施の形態とする。
【０００３６】本発明の開示である発明の第二の力損をなくす実施の形態は、力損が発電機も駆動モータもＮＳ双磁極にまたがるコイル内に発生する電流により、同時に励磁磁鉄に自己誘導発生する磁束の流れと、磁束の流れによる磁極の発生と、この励磁用鉄磁極に相互作用する他体の磁石に拠る、吸引力による。この磁束の流れの元を断つことを第二の実施の形態とする。
【００３７】本発明の開示である発明の第三は、駆動単磁電機子回路両端に入出力のトランジェスタースイッチ機構を取り付け、ブラシレスモータとすると友に、全波整流子を取り付けることにより、自己誘導発電の一方向一部を回生する。
駆動単磁電機子回路両端にコンデンサーを取り付け、自己誘導発電の他方向である逆誘導起電力によるショートを閉鎖回路とし、別にしコンデンサーに一時避難させ、短絡ショートを防ぎトランスによるバッテリー閉鎖回路により全発電電気量を回生蓄電する。
【実施例】
【００３８】発明の第一の実施例は図１５に於いて説明する。本発明の熱損を防ぐ、第一の実施例は、一体を、縁皮膜された励磁磁鉄板を合板にした柱に、第一の絶縁皮膜された良電導体線をコイルとして巻きつけ、その上に第二の絶縁皮膜された良電導体線をコイルとして巻きつけ、二重コイル電機子を形成する。励磁磁鉄両端に磁石を他体とし電動モータを形成する。一方のコイルを駆動電源回路とし、他方のコイルを発電電気回路とする。本発明の第一の実施例により、磁気回路を共有する発電と駆動の別電気回路を構築する。これにより発電・駆動モータが形成される。【００３９】本発明の力損を防ぐ第二の実施例は、上記電機子コイルをコイル一端と他端の中間を切断し、端子を倍化する。これにより、単磁電機子対のコイルを内装した、発電・駆動モータが形成される。【００４０】本発明の第三の実施例は、単磁電機子対モータをブラシレス直流駆動二体モータとする。モータの一体である単磁電機子対のコイル一端と他端に、他体の磁極の相対位置を知らせる素子によりスイッチする機構とするトランジェスタ−を取り付ける。これにより所望の駆動電気を入力し駆動する、ブラシレスモータを構築する。また、このススイッチ機構を跨ぐ寄生トランジェスターを装着し、自己誘導発電の一方向の一部を回生する機構を構築する。【００４１】本発明の第四の実施例は、モータの電機子の駆動回路のコイル一端と他端にコンデンサーを装着し自己誘導発電の他方向の一部をコンデンサーに蓄え、駆動時に駆動用として放出する回生回路を構築する。
【発明の効果】
【００４２】本発明の熱損を無くす上記二重コイルによる第一の効果は図１で説明するする。図は固定子と回転子からなる二体電動モータである。電気回路は単相１柱の同相並列回路である。励磁磁鉄に巻かれたコイルは駆動電気回路と発電電気回路と別回路が同じ励磁磁鉄にそれぞれ巻きつけてある、励磁磁鉄共有・発電・駆動電機子・内装電動モータである。この効果は、駆動モータが電気を入力すると、
４／５ページ
自己誘導発電が発生するが、発生した電気は駆動電気回路とは別の発電用電気回路から出力し消化する。これにより、従来の駆動電気と自己誘導発電電気が短絡し発熱する、熱損が、本発明では別発電回路で発電有効消化することにより、電気の短絡がなくなり、発熱しない効果が在る。のみならず、１００％の発電電力も得られる。
【００４３】本発明の力損をなくす第二の効果は、電機子は双磁極に跨る電機子回路の中間を切断し新たな開放回路としての端子を倍加する。この単磁極電機子対の結線は並列とする。電機子コイルが直列につながれていると一端と他端からコイル内側に向かう±逆相の電気が短絡し発熱する。これを直列回路から開放する単磁電機子対並列回路では、電気が電機子コイル内で短絡しないから、発熱しない熱損に対する効果が在る。その上で自己誘導発電した発電を、出力として、消化すると、双磁極電機子の励磁磁鉄内に、単磁極電機子対では、電流が消化され磁束が発生しない。磁束が流れないために、発電抗力が発生し無い、力損が無い効果が在る。及単磁極電機子の結線が並列であるため、逆相の電線内の短絡がなく、短絡による発熱も無い効果が在る。及び従来では駆動モータの回転が上がると、自己誘導発電の発電抗力も上がりトルクが無くなるが、本発明では駆動モータの回転が上っても最大トルクは維持できる効果が在る。
【００４４】本発明の単磁電機子対で構成される駆動モータをブラシレスモータとする実施例は図１５、で説明する。図は単磁電機子対の直流駆動モータに回転磁界を作る、素子、スイッチ機構２を含む回路図である。また寄生ダイオードにより、自己誘導発電した電気の一部を回生させることも可能で在る。これにより、駆動モータ内の駆動電力と自己誘導発電による短絡発熱は、一部回避される。
【００４５】図１５は二重単磁コイル電機子対のブラシレスモータの回路図に駆動電機子コイル一端と他端にコンデンサーを装着し、回磁界に抗する自己誘導発電の他方向の電気を貯め、回転する方向の電流のとき放出する機構を具備する、回生回路である。これにより、自己誘導発電する電気と駆動電気と短絡発熱することを一部無くす効果が在る。
【００４６】総体では同一励磁磁鉄に、駆動用と発電用の別回路のコイルが巻かれているため、自己誘導発電の殆んどは発電として有効利用することが出来る。また短絡ショートが無いため、発熱損が起こらない。
【００４７】図１６は多段モータの一つである。モノポールトランスモータのロータが永久磁石である。その外側に単磁電機子対発電駆動多段モータ電機子が同心でモノポールトランスモータ電機子一体で構築されている。モノポールトランスモータの発電電気回路がロータ外側の単磁電気子対多段発電駆動モータの一団目に結線され多段モータが構築されている。
【００４８】図１７は多段モータのリニアに展開された回路図である。
発電と駆動は並列回路で結線されている。
【００４９】
【図面の簡単な説明】
【００５０】１）                励磁用鉄
２）                駆動コイル
３）                寄生ダイオード・整流子
４）
５）
６）                ＦＥＴ・トランジェスター
７）                ホール素子・信号入力線
８）                発電コイル
９）                回生発電回路
１０）              駆動電流回路
１１）              回生コンデンサー
Ｎ                      磁極
Ｓ                      磁極
Ａ、Ｂ、Ｃ、Ｄ          電機子各端子
±Ｕ、±Ｖ、±Ｗ        交流電気各相
図１は磁石がアウターロータ上に構築され、一相交流の単磁電機子対の±Ｕ相が１柱在る単磁極電機子対で構成されたモータ。及び単磁電機子対のコイルが発電と駆動と別回路にはっている。
【図１５】
2017208994.tif 000004
【図１６】
2017208994.tif 000005
【図１７】
2017208994.tif 000006
【手続補正書】
【提出日】平成28年7月30日(2016.7.30)
【手続補正１】
【補正対象書類名】明細書
【補正対象項目名】全文
【補正方法】変更
【補正の内容】
【発明の詳細な説明】
【発明の詳細な説明】
【技術分野】永久電動機【０００１】
【背景技術】
【０００２】第一段階において、従来からの電動モータは、一体を絶縁皮膜された励磁用鉄板の合板の柱に絶縁皮膜された良電導体線を巻きつけ電機子とし、電機子の一端と他端に隙間を隔てて他体の磁石Ｎ・Ｓ双磁極を相対移動させ、電磁気力相互作用をさせる、固定子と回転子の二体構造である。電動モータは駆動電源を入力し駆動回転をすると、発電機として一体と他体が相対移動し内部で自己誘導起電がおき発電をする。発電電磁気力と駆動電磁気力は背中合わせの対称性の閉じた関係にある、電磁気力である±電力：Ｎ・Ｓ磁力：±引力：反力の重力：入力・出力の四つの対称性があり、互いに相殺しエネルギー保存の関係にある。【０００３】このために狭義のエネルギー保存則を超えない。またこれらの力＝重力・弱い力・電力・核力は互いに相互作用して重力場を超えることはしない。これら四つの力の場においては、エネルギーは熱量⇔質量×速度×速度の四次関数として繰り込み可能で、且つ相互作用はしない閉じた場であるゲージ理論に支配されている。【０００４】これに対し、ノーベル賞受賞物理学者Ｓ・ＷｅｉｎｂｅｒｇとＡ・Ｓａｌａｍは電磁気力相互作用において、対称性の自発的破れにより、保存則が崩れることを統一理論として提唱し・実験証明した。世界の物理学者が追試し認められた。
陽電子の加速器による光速度近くに加速された衝突は、核融合を起こすことなく、入力された、核力に近いエネルギーは自発的対称性の敗れにより、消滅し、狭義のエネルギー保存則は破れた。この法則をプラス方向に具現する実用機はいまだ無い。本発明は、この狭義のエネルギー保存則を超える、対称性の自発的な破れによる法則のプラス方向の重力の入力に対し、核力に至るエネルギーを得る実用機を電動モータで具現するものである。【０００５】対称性は、ソレノイドコイル内で発電電流と駆動電流と、磁束の流れによる磁極Ｎ・Ｓと、力の引力と訴力と、電力の方向が行く方向のプラスと来る方向のマイナスの対称性であり、互いに相殺し合う、閉じた関係にある。【０００６】これら四つの場の関係は、±ＸＹＺ，プラス・マイナス三次元の八立方象限の次元の出発点である０点、極において一体となっている。【０００７】四つの場を表す素粒子との力の関係は、重力場＝中性子＝引力⇔訴力。弱い力の場＝陽電子＝Ｎ磁極⇔Ｓ磁極。電磁気力＝電子＝プラス電極⇔マイナス電極。
核力＝光子の進行方向＝明⇔宇宙の爆発原点である暗に対応する。【０００８】電磁気力の虚空に対し閉じた四つの力と場の間係。電力は電力場と呼ぶ。同じように重力は重力場と呼ぶ。弱い力は磁力場と呼ぶ。核力は原子力場と呼ぶ。【０００９】電磁気力はこれら四つの場が一体であることを示し、素粒子は分割不可能な四つの顔を持つ一個であることを示し、極を中心に、プラス・マイナス三次元のベクトルの中心である四つの回転軸を持ち、プラス・マイナスの軸方向を持ち、プラス・マイナス正・逆の回転方向を持ち、四つの力に比例した四つのプラス・マイナス回転数を持つことを現している。【００１０】それぞれのゲージ場内においてエネルギーが保存され、狭義のエネルギー保存則として閉じている。それぞれの場のエネルギーが、例えば核力が重力場内において熱量として繰り込みは可能であるように、四つの力は四つの場に繰り込み可能である。【００１１】重力から核力にいたるエネルギーを統一して陳べる法則の提唱はある。しかし二次関数の相対論で述べるため成功しない。
宇宙の爆発と邂逅の法則は±四次関数である。【００１２】電動モータの第一段階の電流において。駆動電源にプラス・マイナスの電流の入力により駆動すると、自己誘導発電のマイナス・プラスの発電電流により、モータ電機子の閉鎖回路内で短絡し、発電電流を消耗し、コイルがヒータとなり、発熱。銅損・熱損・力損が起こる。【００１３】第一段階の電動モータ電流において、駆動電力入力により回磁界が発生し、モータが駆動する。モータが９０度位相のずれたところでは、自己誘導発電により、発電し、モータ内部で短絡ショートし発熱する。発電電力と駆動電力は、互いに打ち消しあう対称性の関係にある。【００１４】第二段階のコイル閉鎖回路内の電力において、閉鎖回路の両端子にプラス・マイナスの電流が流れる。従来ではコイル両端より、外側に流れた電流が仕事をする。同時に駆動位置に９０度位相がずれた位置で自己誘導発電する。駆動励磁の回転方向力と発電励磁の抗力との関係は常に背中合わせであり互いに相殺する関係にある。電動モータ・ソレノイドコイル内で駆動磁束と発電磁束の流れはプラスとマイナスの対称性であり、相殺し合って、閉じている、【００１５】第三段階の従来の二体電動モータにおいて、二体電動モータの一体励磁用鉄内いでの発電磁束は他体の磁石を含む励磁用鉄内に交番磁束を流し、他体の駆動磁束との磁極がＮ・Ｓ相殺すると共に、閉鎖回路内で発生する渦電流が、短絡ショートし発熱する。
従来からの二体電動モータの電磁気力相互作用の方向である気は、駆動入力による電力と自己誘導発電により発生する電力とが常に背中合わせであり、互いに相殺する関係にある。【００１６】第四段階の発電駆動モータの従来に於いては、二体電動モータの駆動トルクと発電トルクは、二体間の励磁用鉄とコイルの四対間の関係で、互いにプラスとマイナスの対称性の関係にあり、プラス・マイナス：マイナス・プラスと四体間対称性であり、相殺しエネルギー保存則に従う。
電磁気力の対称性を自発的に破り、狭義のエネルギー保存則を超え、駆動・電磁気力の駆動力の出力と、駆動電力と同じエネルギーの発電・電磁気力の電力を同時に別々に取り出す、電磁気力の対称性を自発的に破る技術は本発明の出現までは無かった。
また、電磁気力の対称性を自発的に破り、トルクをＮ倍に増やす、技術もなかった。【００１７】ＤＣ／ＡＣブラシレスインバータ電源より、磁石の位相の制御電流により、トランジェスターが作動し電動モータに界磁電流を流すブラシレスモータにおいて、寄生ダイオードにより自己誘導発電を整流し回生電気として流す方法があるが、対称性の相殺により、回転数が上がらないため入力電源に対し発生電気の電圧が低く、回生できず、また逆起電力により、閉鎖回路内で短絡ショート発熱する。自己誘導発電による力損の改善も望めない。【００１８】発電において、発電機内電機子コイル一端と多端の中間は直列結線であり、スター回路かデルター回路の閉鎖回路である。電磁気力の±対象性により熱損・力損が激しい。整流子により整流すると、閉鎖回路内電磁気力は、起電力と逆起電力である正孔の流れ、発電と同じふるまいをする、逆流電子の対称性の相殺により、エネルギーの半分以上が短絡ショートし、熱損・力損となる。【００１９】従来のオルタネーターなどの発電の発生する交流を直流に変換するコンバータに
2017208994.tif 000007
いなく、概念も無い。このための熱損。力損は大きい。整流し中点でアースし、逆起電力を逃がす回路も、発熱は防げるが、逆起電力は有効利用できない。また誘導発電を駆動力に利用する誘導モータやデジタルモータがあるが、いずれも、逆起電力の利用はできず、逆起電力のすべてが熱損・力損となっている。【００２０】従来のオルタネーター発電機に使用される、バッテリー過充電防止スイッチ機構のレギュレタに於いて、常時トランジェスターに発電電流が流れ、発熱熱損が大きい。
コイル直巻き発電機である、オルタネーターは閉鎖回路により、熱損、力損が発生するが、発生した電力をバッテリーに逐電する際に、過充電になると、励磁用コイルの電源を遮断し過充電を防止する機構になっている。この遮断用スイッチ回路にトランジェスターが多用され、熱損が発生している。
自発的対象性の敗れこれを用いる実用機がいまだない。【００２１】従来の基本的電磁気力思想であるナツメ社発行の、図解始めて学ぶ、電気回路の７９ページ相互インダクタンスに書かれている相互誘導起電力により磁束が消える、これは駆動電力と発電電力がコイル中間で磁束を打ち消しあう、自発的対象性の破れを示すものである。概念としてのモノポールは可能である。【００２２】請求項３の従来のインバータとコンバータに於いて、半波整流、全波整流と言う思想はあるが±全波と言う電流があると言う思想は無い。±全波周波数同調と言う思想も無い。このためほとんどの逆起電・電磁気力を短絡ショート発熱として逃がしている。【００２３】従来の発電機は、始動回転時から、要求される電力及び、閉鎖回路による全トルク・最大トルクを要求される。これにより、ほとんどのエネルギーが熱損・力となっている。【００２４】
【発明が解決しようとする課題】
【００２５】本発明が統一して解決しようとする統一課題は、狭い考えで電動モータが電磁気力の相互作用を利用しながら、狭義のエネルギー保存則である重力場内のエネルギー保存則に縛られ、閉じている。
他方ワインバーグ・サラムの法則、「電磁気力の対称性の自発的破れはエネルギー保存則を超える」この装置と方法を、演繹法で解決するのが統一した課題である。
【００２６】本発明が解決しようとする電動モータの基本的な課題の第１は、電動モータを駆動させると、自己誘導発電し、同時に自己誘導磁束により抗力としての力損が発生する。これを無くすことを第１の課題としている。
【００２７】本発明が解決しようとする電動モータの基本的な課題の第２は、モータ内部で自己誘導発電した電力と、駆動電力が、短絡し発熱する。この熱損を無くすことを第２の課題としている。
【００２８】本発明が解決しようとする課題の第３は、駆動時に発生する発電を常時回生させることを課題としている。
【００２９】本発明が解決しょうとする課題の第４は、常時回生発電電力を駆動電力として、供給する電気回路を課題としている。
【００３０】本発明が解決しようとする課題の第５は磁束をＮ倍化し、トルクをＮ倍化することを課題としている
【００３１】本発明が解決しようとする課題の第６は全回生電力を、制御回路を使わずに、駆動電力に変換することを課題としている。
【００３２】本発明が解決しようとする課題の第７は起電力、逆起電力双方の回生電力の全力を常時バッテリーに回帰させる方法を課題としている。
【００３３】
【課題を解決する為の手段】
【００３４】本発明の第１の課題である自己誘導発電の抗力による力損を解決するための手段は、一体が自己誘導発電により、電機子励磁用鉄に発生する磁束に拠る磁極と、他体の磁石との間による発生する吸引、反発の抗力をなくすための手段として、電機子の磁束の流れを切断し、磁束を流れなくすることを手段としている。このための具体的な手段は、駆動モータのコイルと自己誘導発電のコイルと別々にする二重コイルとすることを解決手段としている。
【００３５】本発明の第２の課題電動モータ内部での銅損・熱損を解決するための手段は、Ｎ・Ｓ双磁極励磁用鉄に巻かれたソレノイドコイルの中間を切断し、端子を二倍に増し単磁極電機子対とすることを手段とする。これによるＮ・Ｓ両極に同時に起電する二つの磁極の電機の進行方向が違う電流、この電流が同じ磁極に向かうとき回転方向が違う正逆起電力による±電気を、コイル中間で短絡ショートするのを防ぎ、熱損を無くし、電流の対称性の自発的破れを具現する単磁電機子対とすることを第２の解決手段としている。
【００３６】本発明の第３の課題、駆動時に発生する電流の回転方向が逆回転するする発電電力を短絡ショートさせずに解決する、また全発電電流を有効利用するための手段は、駆動時に発生する自己誘導発電を駆動電流コイルに重ねて発電電流を二重に巻き、駆動電力により同時に発電する自己誘導発電を回収するトランスモータとすることを第３の課題の解決手段とする
【００３７】本発明の第４の課題である常時回生発電する電力を駆動電力として供給する電気回路の課題を解決する手段は、入力駆動電力により二重コイル内に起電する発電電気を次の同相の電機子柱の駆動コイルに供給する回路は、双磁極電機子の閉鎖回路で逆起電力短絡ショートさせる回路では、コンデンサーで閉鎖回路を構築し、一時電気をため、さらにトランスで昇圧し同時に整流し、バッテリーに並列結線で入力することができる。電磁気力対称性を自発的に破る、逆起電力もバッテリーに供給するには、直列に結線したバッテリーの±の端子の中間の結線に、上記コンデンサーとトランスを具備した逆起電力回路を、直列結線したバッテリー中間に割り込み直列結線で繋ぐことを第四の課題を解決する手段とする。
【００３８】本発明の第５の課題の電磁気力対称性の磁力を自発的に破り、磁束をＮ倍化とし、トルクをＮ倍化することを解決する手段は、電機子に駆動入力した電気により、発電する発電コイルが、同相の少なくとも一つの電機子の駆動電力コイルに入力し、さらに同じ電機子柱の二重コイルで発電した電気をさらにＮ段目電機子柱の駆動コイルに回生入力する同相多段トランスモータ回路を解決手段とする。
【００３９】本発明の第６の課題を解決する手段は上記第５の課題解決をする方法回路により制御回路を経ず、直接同軸同回転多段モータに供給することにより解決手段とする。
【００４０】本発明の第７の課題を解決する手段は、多段モータ最後の段の発電電力を、制御回路でバッテリーに供給そることを手段とする。
【００４１】
【発明を実施するための形態】
【００４２】本発明の開示である発明の第一の熱損を無くす実施の形態は、第一に、電動モータの駆動電力入力回路と、自己誘導発電する電気回路が同じであり、この電気回路内部で短絡発熱するのを無くすため、励磁用鉄柱にコイルを巻いた駆動電源回路と、同じ励磁用鉄柱に重ねてコイルを巻いた発電回路の電機子を具備する発電・駆動回路電動モータを第一の実施の形態とする。
【０００４３】本発明の開示である発明の第二の力損をなくす実施の形態は、力損が発電機も駆動モータもＮＳ双磁極にまたがるコイル内に発生する電流により、同時に励磁磁鉄に自己誘導発生する磁束の流れと、磁束の流れによる磁極の発生と、この励磁用鉄磁極に相互作用する他体の磁石に拠る、吸引力による。この磁束の流れの元を断つことを第二の実施の形態とする。
【００４４】本発明の開示である発明の第三は、駆動単磁電機子回路両端に入出力のトランジェスタースイッチ機構を取り付け、ブラシレスモータとすると友に、全波整流子を取り付けることにより、自己誘導発電の一方向一部を回生する。
駆動単磁電機子回路両端にコンデンサーを取り付け、自己誘導発電の他方向である逆誘導起電力によるショートを閉鎖回路とし、別にしコンデンサーに一時避難させ、短絡ショートを防ぎトランスによるバッテリー閉鎖回路により全発電電気量を回生蓄電する。
【実施例】
【００４５】発明の第一の実施例は図１５に於いて説明する。本発明の熱損を防ぐ、第一の実施例は、一体を、縁皮膜された励磁磁鉄板を合板にした柱に、第一の絶縁皮膜された良電導体線をコイルとして巻きつけ、その上に第二の絶縁皮膜された良電導体線をコイルとして巻きつけ、二重コイル電機子を形成する。励磁磁鉄両端に磁石を他体とし電動モータを形成する。一方のコイルを駆動電源回路とし、他方のコイルを発電電気回路とする。本発明の第一の実施例により、磁気回路を共有する発電と駆動の別電気回路を構築する。これにより発電・駆動モータが形成される。【００４６】本発明の力損を防ぐ第二の実施例は、上記電機子コイルをコイル一端と他端の中間を切断し、端子を倍化する。これにより、単磁電機子対のコイルを内装した、発電・駆動モータが形成される。【００４７】本発明の第三の実施例は、単磁電機子対モータをブラシレス直流駆動二体モータとする。モータの一体である単磁電機子対のコイル一端と他端に、他体の磁極の相対位置を知らせる素子によりスイッチする機構とするトランジェスタ−を取り付ける。これにより所望の駆動電気を入力し駆動する、ブラシレスモータを構築する。また、このススイッチ機構を跨ぐ寄生トランジェスターを装着し、自己誘導発電の一方向の一部を回生する機構を構築する。【００４８】本発明の第四の実施例は、モータの電機子の駆動回路のコイル一端と他端にコンデンサーを装着し自己誘導発電の他方向の一部をコンデンサーに蓄え、駆動時に駆動用として放出する回生回路を構築する。
【発明の効果】
【００４９】本発明の熱損を無くす上記二重コイルによる第一の効果は図１で説明するする。図は固定子と回転子からなる二体電動モータである。電気回路は単相１柱の同相並列回路である。励磁磁鉄に巻かれたコイルは駆動電気回路と発電電気回路と別回路が同じ励磁磁鉄にそれぞれ巻きつけてある、励磁磁鉄共有・発電・駆動電機子・内装電動モータである。この効果は、駆動モータが電気を入力すると、
自己誘導発電が発生するが、発生した電気は駆動電気回路とは別の発電用電気回路から出力し消化する。これにより、従来の駆動電気と自己誘導発電電気が短絡し発熱する、熱損が、本発明では別発電回路で発電有効消化することにより、電気の短絡がなくなり、発熱しない効果が在る。のみならず、１００％の発電電力も得られる。
【００５０】本発明の力損をなくす第二の効果は、電機子は双磁極に跨る電機子回路の中間を切断し新たな開放回路としての端子を倍加する。この単磁極電機子対の結線は並列とする。電機子コイルが直列につながれていると一端と他端からコイル内側に向かう±逆相の電気が短絡し発熱する。これを直列回路から開放する単磁電機子対並列回路では、電気が電機子コイル内で短絡しないから、発熱しない熱損に対する効果が在る。その上で自己誘導発電した発電を、出力として、消化すると、双磁極電機子の励磁磁鉄内に、単磁極電機子対では、電流が消化され磁束が発生しない。磁束が流れないために、発電抗力が発生し無い、力損が無い効果が在る。及単磁極電機子の結線が並列であるため、逆相の電線内の短絡がなく、短絡による発熱も無い効果が在る。及び従来では駆動モータの回転が上がると、自己誘導発電の発電抗力も上がりトルクが無くなるが、本発明では駆動モータの回転が上っても最大トルクは維持できる効果が在る。
【００５１】本発明の単磁電機子対で構成される駆動モータをブラシレスモータとする実施例は図１で説明する。図は単磁電機子対の直流駆動モータに回転磁界を作る、素子、スイッチ機構  含む回路図である。また寄生ダイオードにより、自己誘導発電した電気の一部を回生させることも可能で在る。これにより、駆動モータ内の駆動電力と自己誘導発電による短絡発熱は、一部回避される。
【００５２】図１は二重単磁コイル電機子対のブラシレスモータの回路図に駆動電機子コイル一端と他端にコンデンサーを装着し、回磁界に抗する自己誘導発電の他方向の電気を貯め、回転する方向の電流のとき放出する機構を具備する、回生回路である。これにより、自己誘導発電する電気と駆動電気と短絡発熱することを一部無くす効果が在る。
【００５３】総体では同一励磁用鉄に、駆動用と発電用の別回路のコイルが巻かれているため、自己誘導発電のほとんどは発電として有効利用することが出来る。また短絡ショートが無いため、発熱損が起こらない。
【００５４】図２は多段モータの一つである。モノポールトランスモータのロータが永久磁石である。その外側に単磁電機子対発電駆動多段モータ電機子が同心でモノポールトランスモータ電機子一体として構築されているモノポールトランスモータの発電電気回路がロータ外側の単磁電気子対多段発電駆動モータの一段目に結線され多段モータが構築されている。
【００５５】図３は多段モータのリニアに展開された回路図である。
発電と駆動は並列回路で結線されている。
【００５６】
【図面の簡単な説明】
【００５７】符号の明細
１）                励磁用鉄
２）                駆動コイル
３）                寄生ダイオード・整流子
４）
５）
６）                ＦＥＴ・トランジェスター
７）                ホール素子・信号入力線
８）                発電コイル
９）                回生発電回路
１０）              駆動電流回路
１１）              回生コンデンサー
Ｎ                      磁極
Ｓ                      磁極
Ａ、Ｂ、Ｃ、Ｄ          電機子各端子
±Ｕ、±Ｖ、±Ｗ        交流電気各相
【図１】は回転子と固定子の二体からなるモノポールトランス多段モータの断面模式図。
【図２】は二体モータ外周部外側に、電機子を増設したモノポールトランス多段モータの断面図。
【図３】モノポールトランス多段モータの二体モータをリニアに開いた回路図。
【手続補正２】
【補正対象書類名】特許請求の範囲
【補正対象項目名】全文
【補正方法】変更
【補正の内容】
【特許請求の範囲】
【請求項１】
第一段階。
一体が、絶縁皮膜された励磁磁鉄板の合板に良伝導体コイルが巻かれ、絶縁皮膜された良電導体コイルの双磁極電機子と、他体が、励磁用鉄の一端と他端に隙間を隔ててＮ・Ｓ双磁極が相対移動する双磁極電機子で構成される二体電動モータに於いて、駆動モータ界磁電機子に入力する上記コイルに重ねて、自己誘導動発電し常時回生する回帰発電用コイルが二重に巻かれ回磁界・回生両電機子を構成する、常時同時駆動発電する電動モータ。電磁気力対象性の方向である［気］の入力と出力の方向を自発的に破る、狭義のエネルギー保存則を超える自己誘導発電の電気エネルギーを、駆動モータに回帰させる方法である駆動発電電気回路。駆動発電電力に対して、逆流する、自己誘導発電電流を短絡ショートさせないで駆動電力に印可させる装置である励磁用鉄共用駆動発電二重コイル・トランスモータ。
第二段階。
請求項２のモータの双磁極電機子のコイルを、コイル中間を切断し新たな入出力端子を増設具備する、単磁極電機子対に於いて、電磁気力対称性の［電］のプラスとマイナスの対称性の自発的破れにおいて、電子のプラスとマイナスの、電流と正孔の流れ、同じ流れの逆起電力である発電電力の流れにより狭義のエネルギー保存則の対称性を破り超える広義のエネルギー保存則を得る方法である単磁極電機子対駆動発電電気回路。
単磁極電機子対で構成する単磁電機子対駆動発電電動モータに於いて電磁気力対称性の［電］を自発的に破る、駆動電流のプラスとマイナスと正孔の流れ、電子の流れに対する逆流である、発電と同じ流れを短絡ショートさせない、広義のエネルギー保存則に従う、単磁電機子対駆動発電電動モータの装置である、
モノポールトランスモータ。
第三段階。
単磁電機子対駆動発電電動モータに於いて、
同相電機子の少なくとも一つの電機子柱の駆動コイル入力電流により、発電コイルに、誘導発電された電気を他の同相電機子柱に、駆動用電気として出力する、電磁気力対称性の［磁］の対称性を破り、狭義のエネルギー保存則を超え、広義のエネルギー保存則に従う、単磁電機子対多段駆動発電電動機の方法である多段駆動発電回路
【請求項２】
請求項１の単磁電機子対駆動発電電動モータが同相に於いて入力駆動電流コイルにより誘導発電した電気が同相他柱の駆動電流コイルに入力する多段である。単磁電機子対多段駆動発電電動機である、モノポール多段トランスモータ。
【手続補正４】
【補正対象書類名】図面
【補正対象項目名】全図
【補正方法】変更
【補正の内容】
【図１】
2017208994.tif 000008
【図２】
2017208994.tif 000009
【図３】
2017208994.tif 000010